(57)【特許請求の範囲】
【請求項１】
無線アクセステクノロジー（ＲＡＴ）を用いて第１のセルに通信を提供する第１のアクセスポイントであって、前記第１のセルは、該第１のセルの無線アクセステクノロジーと同じ第１の無線アクセステクノロジーを使用する第２のセルのカバレッジエリアの少なくとも一部と、前記第１及び第２のセルの前記第１のＲＡＴとは異なる第２の無線アクセステクノロジーを使用する第３のセルのカバレッジエリアの少なくとも一部と、に重なるカバレッジエリアを有し、当該第１のアクセスポイントは、
第１のトラッキングエリアコード（ＴＡＣ）であって、前記第２のセルに割り当てられる第２のＴＡＣとは異なるように構成され、それにより複数のＴＡＣが同じＲＡＴ内で使用され、前記第１のＴＡＣ及び第２のＴＡＣは、前記第１のＲＡＴとは異なるＲＡＴである前記第２のＲＡＴを使用する前記第３のセルに割り当てられる第３のエリアコードとは異なる、第１のトラッキングエリアコードと、
前記第３のセルに関する情報を記憶するメモリと、
を含み、
当該第１のアクセスポイントは、
ワイヤレス通信ユニットが登録されている前記第２のセルの同じ第１のＲＡＴを使用する前記第１のセルの前記重なるカバレッジエリア内にある前記ワイヤレス通信ユニットから接続の要求を受信し、接続の前記要求を受信することに応答して、
接続を確立し、前記第２のＲＡＴを使用する前記第３のセルに関する前記の記憶された情報を含むＲａｄｉｏ  Ｒｅｓｏｕｒｃｅ  Ｃｏｎｔｒｏｌリダイレクション情報要素を含むＲａｄｉｏ  Ｒｅｓｏｕｒｃｅ  Ｃｏｎｔｒｏｌ（ＲＲＣ）  Ｃｏｎｎｅｃｔｉｏｎ  Ｒｅｌｅａｓｅメッセージを前記ワイヤレス通信ユニットに送信することによって、前記ワイヤレス通信ユニットを前記第２のＲＡＴを使用する前記第３のセルにリダイレクトするように配置される、
第１のアクセスポイント。
【請求項２】
請求項１に記載の前記第１のアクセスポイントにより提供されるカバレッジエリアの少なくとも一部に重なる、第３のセルに通信サービスを提供する第２のアクセスポイントであって、当該第２のアクセスポイントは、前記第１のアクセスポイントによって前記第３のセルにリダイレクトされている前記ワイヤレス通信ユニットから接続の要求を受信するように配置され、さらに、前記ワイヤレス通信ユニットからの該ワイヤレス通信ユニットに関する識別子を要求し、前記ワイヤレス通信ユニットから前記識別子を受信し、前記識別子を含むプレゼンス通知メッセージを生成し、前記プレゼンス通知メッセージをリモートのエンティティに送るように配置される、第２のアクセスポイント。
【請求項３】
前記ワイヤレス通信ユニットからの接続の前記要求を受け入れ、コアネットワークを介して前記ワイヤレス通信ユニットに通信サービスを提供するようにさらに配置される、請求項２に記載の第２のアクセスポイント。
【請求項４】
前記識別子を受信した後、前記ワイヤレス通信ユニットからの接続の前記要求を拒否するようにさらに配置される、請求項２に記載の第２のアクセスポイント。
【請求項５】
前記識別子を受信した後、前記ワイヤレス通信ユニットを近隣のセルにリダイレクトするようにさらに配置される、請求項２に記載の第２のアクセスポイント。
【請求項６】
前記第１及び第２のセルにより使用される前記第１の無線アクセステクノロジーはＬｏｎｇ  Ｔｅｒｍ  Ｅｖｏｌｕｔｉｏｎ無線アクセステクノロジーであり、前記第３のセルにより使用される前記第２の無線アクセステクノロジーは３Ｇ無線アクセステクノロジー又は２Ｇ無線アクセステクノロジーである、請求項１に記載の第１のアクセスポイント。
【請求項７】
当該第１のアクセスポイントは、前記メモリにおける記憶のために前記第３のセルによりブロードキャストされる前記第３のセルに関する情報を受信するネットワークリッスンデバイスを含む、請求項１又は請求項６に記載の第１のアクセスポイント。
【請求項８】
前記識別子はＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）である、請求項２乃至５のうちいずれか１項に記載の第２のアクセスポイント。
【請求項９】
第１の無線アクセステクノロジー（ＲＡＴ）を用いて第１のセルに通信を提供する第１のアクセスポイントであって、前記第１のセルは、該第１のセルの無線アクセステクノロジーと同じ第１の無線アクセステクノロジーを使用する第２のセルのカバレッジエリアの少なくとも一部と、前記第１及び第２のセルの前記第１のＲＡＴとは異なる第２の無線アクセステクノロジーを使用する第３のセルのカバレッジエリアの少なくとも一部と、に重なるカバレッジエリアを有し、前記第１のアクセスポイントは、
第１のトラッキングエリアコード（ＴＡＣ）であって、前記第２のセルに割り当てられる第２のＴＡＣとは異なるように構成され、それにより複数のＴＡＣが同じＲＡＴ内で使用され、前記第１のＴＡＣ及び第２のＴＡＣは、前記第１のＲＡＴとは異なるＲＡＴである前記第２のＲＡＴを使用する前記第３のセルに割り当てられる第３のエリアコードとは異なる、第１のトラッキングエリアコードと、
前記第３のセルに関する情報を記憶するメモリと、
ワイヤレス通信ユニットが登録されている前記第２のセルと同じ第１のＲＡＴを前記第１のアクセスポイントが使用しているとき前記第１のセルの前記重なるカバレッジエリア内にある前記ワイヤレス通信ユニットから接続の要求を受信し、接続の前記要求を受信することに応答して、接続を確立し、前記第３のセルに関する前記の記憶された情報を含むＲａｄｉｏ  Ｒｅｓｏｕｒｃｅ  Ｃｏｎｔｒｏｌリダイレクション情報要素を含むＲａｄｉｏ  Ｒｅｓｏｕｒｃｅ  Ｃｏｎｔｒｏｌ（ＲＲＣ）  Ｃｏｎｎｅｃｔｉｏｎ  Ｒｅｌｅａｓｅメッセージを前記ワイヤレス通信ユニットに送信することによって、前記ワイヤレス通信ユニットを前記第２のＲＡＴを使用する前記第３のセルにリダイレクトするように配置された信号プロセッサと、
を含む第１のアクセスポイントと、
前記第３のセルに通信サービスを提供する第２のアクセスポイントであって、
前記第１のアクセスポイントによって前記第３のセルにリダイレクトされている前記ワイヤレス通信ユニットから接続の要求を受信するように構成された受信器と、
前記ワイヤレス通信ユニットからの該ワイヤレス通信ユニットに関する識別子を要求するように構成された送信器であって、前記受信器は、前記ワイヤレス通信ユニットから前記識別子を受信してプレゼンスサービスを達成するように構成される、送信器と、
を含む第２のアクセスポイントと、
を含む通信システム。
【請求項１０】
セルラー通信システムを動作させる方法であって、第１の無線アクセステクノロジー（ＲＡＴ）を用いて第１のセルに通信を提供する第１のアクセスポイントであり、前記第１のセルは、該第１のセルの無線アクセステクノロジーと同じ第１の無線アクセステクノロジーを使用する第２のセルのカバレッジエリアの少なくとも一部と、前記第１及び第２のセルの無線アクセステクノロジーとは異なる第２の無線アクセステクノロジーを使用する第３のセルのカバレッジエリアの少なくとも一部と、に重なるカバレッジエリアを有する、第１のアクセスポイントにおいて、
第１のトラッキングエリアコード（ＴＡＣ）であり、前記第２のセルに割り当てられる第２のＴＡＣとは異なる、第１のトラッキングエリアコード、を前記第１のアクセスポイントに割り当てるステップであり、前記第１のＴＡＣ及び第２のＴＡＣは、前記第１のＲＡＴとは異なるＲＡＴである前記第２のＲＡＴを使用する前記第３のセルに割り当てられる第３のエリアコードとは異なる、ステップと、
前記第３のセルに関する情報をメモリに記憶するステップと、
ワイヤレス通信ユニットが登録されている前記第２のセルと同じ第１のＲＡＴを前記第１のアクセスポイントが使用しているとき前記第１のセルの前記重なるカバレッジエリア内にある前記ワイヤレス通信ユニットから接続の要求を受信するステップと、
接続の前記要求を受信することに応答して、前記第２のＲＡＴを使用する前記第３のセルに関する前記の記憶された情報を含むＲａｄｉｏ  Ｒｅｓｏｕｒｃｅ  Ｃｏｎｔｒｏｌリダイレクション情報要素を含むＲａｄｉｏ  Ｒｅｓｏｕｒｃｅ  Ｃｏｎｔｒｏｌ（ＲＲＣ）  Ｃｏｎｎｅｃｔｉｏｎ  Ｒｅｌｅａｓｅメッセージを前記ワイヤレス通信ユニットに送信することによって、前記ワイヤレス通信ユニットを前記第２のＲＡＴを使用する前記第３のセルにリダイレクトするステップと、
を含む方法。
【請求項１１】
第２のアクセスポイントが、前記第３のセルに通信サービスを提供するように配置され、当該方法は、前記第２のアクセスポイントにおいて、
前記第１のアクセスポイントによって前記第３のセルにリダイレクトされている前記ワイヤレス通信ユニットから接続の要求を受信するステップと、
前記ワイヤレス通信ユニットからの該ワイヤレス通信ユニットに関する識別子を要求するステップと、
前記ワイヤレス通信ユニットから前記識別子を受信して前記第２のＲＡＴを使用する前記ワイヤレス通信ユニットのためのプレゼンスサービスを可能にするステップと、
をさらに含む請求項１０に記載の方法。
【請求項１２】
前記第２のアクセスポイントにおいて、前記ワイヤレス通信ユニットからの接続の前記要求を受け入れ、コアネットワークを介して前記ワイヤレス通信ユニットに通信サービスを提供するステップ、をさらに含む請求項１１に記載の方法。
【請求項１３】
前記第２のアクセスポイントにおいて、前記識別子を受信した後、前記ワイヤレス通信ユニットからの接続の前記要求を拒否するステップ、をさらに含む請求項１１に記載の方法。
【請求項１４】
前記第２のアクセスポイントにおいて、前記識別子を受信した後、前記ワイヤレス通信ユニットを近隣のセルにリダイレクトするステップ、をさらに含む請求項１３に記載の方法。
【発明の詳細な説明】
【技術分野】
【０００１】
本発明の分野は、ネットワーク要素、ワイヤレス通信システム、及びセルラー通信システムを動作させる方法に関し、こうしたシステムにおいてロケーションプレゼンスサービスを提供することに対する特定の適用可能性を有する。
【背景技術】
【０００２】
ワイヤレス通信システム、例えば、第３世代（３Ｇ）のモバイル電話標準及びテクノロジーなどが、よく知られている。こうした３Ｇ標準及びテクノロジーの一例が、３ＧＰＰＴＭ（３ｒｄ  Ｇｅｎｅｒａｔｉｏｎ  Ｐａｒｔｎｅｒｓｈｉｐ  Ｐｒｏｊｅｃｔ）により開発されたＵＭＴＳＴＭ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）である（ｗｗｗ．3ｇｐｐ．ｏｒｇ）。第３世代のワイヤレス通信は、マクロセルモバイルフォン通信をサポートするように一般に開発されている。こうしたマクロセルは、ハイパワー基地局（３ＧＰＰ用語におけるＮｏｄｅＢ）を利用して、比較的広い地理的カバレッジエリア内のワイヤレス通信ユニットと通信する。典型的に、ワイヤレスユニット、又は、これらが３Ｇ用語においてしばしば参照されるところのユーザ機器（ＵＥ）は、無線ネットワークサブシステム（ＲＮＳ）を介して３Ｇワイヤレス通信システムのコアネットワーク（ＣＮ）と通信する。ワイヤレス通信システムは、複数の無線ネットワークサブシステムを典型的に含み、各無線ネットワークサブシステムは、１つ以上のセルを含み、該セルにＵＥがアタッチし、これによりネットワークに接続し得る。各マクロセルラーＲＮＳは、いわゆるＩｕｂインターフェースを介して１つ以上のＮｏｄｅＢに動作的に結合された、無線ネットワークコントローラ（ＲＮＣ）の形態におけるコントローラをさらに含む。
【０００３】
ＧＳＭとしても知られている第２世代ワイヤレス通信システム（２Ｇ）は、十分に確立されたセルラーのワイヤレス通信テクノロジーであり、これにより、「ベーストランシーバ基地局（base  transceiver  stations）」（３ＧシステムのＮｏｄｅＢと同等である）及び移動局（ユーザ機器）は、音声データ及びパケットデータを送信し及び受信することができる。いくつかのベーストランシーバ基地局は、３ＧシステムのＲＮＣと同等の、基地局コントローラ（ＢＳＣ）によって制御される。
【０００４】
通信システム及びネットワークは、ブロードバンド及びモバイルシステムに向かって発展している。３ｒｄ  Ｇｅｎｅｒａｔｉｏｎ  Ｐａｒｔｎｅｒｓｈｉｐ  Ｐｒｏｊｅｃｔは、モバイルアクセスネットワークのためのＬＴＥ（Ｌｏｎｇ  Ｔｅｒｍ  Ｅｖｏｌｕｔｉｏｎ）ソリューション、すなわち、Ｅ−ＵＴＲＡＮ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎ  Ｓｙｓｔｅｍ  Ｔｅｒｒｉｔｏｒｉａｌ  Ｒａｄｉｏ  Ａｃｃｅｓｓ  Ｎｅｔｗｏｒｋ）と、モバイルコアネットワークのためのＳＡＥ（Ｓｙｓｔｅｍ  Ａｒｃｈｉｔｅｃｔｕｒｅ  Ｅｖｏｌｕｔｉｏｎ）ソリューション、すなわち、ＥＰＣ（Ｅｖｏｌｖｅｄ  Ｐａｃｋｅｔ  Ｃｏｒｅ）とを提案している。ＥＰＳ（ｅｖｏｌｖｅｄ  Ｐａｃｋｅｔ  ｓｙｓｔｅｍ）ネットワークは、パケット交換（ＰＳ）ドメインデータアクセスのみ提供し、ゆえに、音声サービスは、ＶｏＬＴＥ（ＶｏｉｃｅオーバーＬＴＥ  −  ＶｏＩＰ手法）によって、あるいは２Ｇ又は３Ｇ無線アクセスネットワーク（ＲＡＮ）と回線交換（ＣＳ）ドメインネットワークとによる回線交換フォールバック（ＣＳＦＢ）を介して提供される。ユーザ機器（ＵＥ）は、２Ｇ／３Ｇ  ＲＡＮ、例えば、ＥＤＧＥ（Ｅｎｈａｎｃｅｄ  Ｄａｔａ  Ｒａｔｅ  ｆｏｒ  ＧＳＭ  Ｅｖｏｌｕｔｉｏｎ）無線アクセスネットワーク（ＧＥＲＡＮ）又はＵＴＲＡＮ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ  Ｔｅｒｒｅｓｔｒｉａｌ  Ｒａｄｉｏ  Ａｃｃｅｓｓ  Ｎｅｔｗｏｒｋ）などを通してＣＳドメインコアネットワークにアクセスし、Ｅ−ＵＴＲＡＮを通してＥＰＣにアクセスすることができる。
【０００５】
いくつかのユーザ機器は、異なる無線アクセステクノロジーのネットワークと通信する能力を有する。例えば、ユーザ機器は、ＵＴＲＡＮ内及びＥ−ＵＴＲＡＮ内で動作することができ得る。
【０００６】
より低いパワーの（ゆえに、より小さいカバレッジエリアの）セルは、ワイヤレスセルラー通信システムの分野における近年の開発物である。こうしたスモールセルは、低パワー基地局によりサポートされる効率のよい通信カバレッジエリアである。用語「ピコセル」及び「フェムトセル」が、小さいカバレッジエリアを有するセルを意味するようにしばしば使用され、用語フェムトセルは、より一般に、住居向けのスモールセルを参照して使用される。スモールセルは、最小のＲＦ（無線周波数）プランニングでしばしば展開され、消費者の家において動作するこれらは、アドホックのやり方においてしばしば設置される。スモールセルをサポートする低パワー基地局は、３ＧＰＰにより定義されている用語ＨＮＢ（Ｈｏｍｅ  Ｎｏｄｅ  Ｂ、特に３Ｇ向け）又はＨｅＮＢ（Ｅｖｏｌｖｅｄ  Ｈｏｍｅ  Ｎｏｄｅ  Ｂ、特にＬＴＥ向け）を用いてアクセスポイント（ＡＰ）として参照されて、フェムトセルアクセスポイントを識別する。各スモールセルは、単一のアクセスポイントによってサポートされる。これらスモールセルは、ワイドエリアマクロネットワークを増大させ、特定の環境、例えば、屋内又は企業における複数のユーザ機器デバイスに対する通信をサポートすることが意図される。こうしたスモールセルは、（例えば、マルチレイヤ構造において）マクロセル「の下層に」展開されて、限定されたエリア、例えば、ショッピングモールなどにおいてＵＥに対する通信をサポートすることが可能であることが意図される。スモールセルのさらなる恩恵は、スモールセルがマクロネットワークからトラフィックの負荷を軽減し（offload）、これにより価値のあるマクロネットワークリソース解放することができることである。１つ以上のアクセスポイントが、アクセスコントローラを通してコアネットワークにリンクされる。１つ以上のＨＮＢをコアネットワークにアクセスコントローラは、ＨＮＢ−ＧＷ（Ｈｏｍｅ  Ｎｏｄｅ  Ｂ  Ｇａｔｅｗａｙ）として知られている。ＨＮＢは、ＨＮＢ−ＧＷに対するいわゆるＩｕｈインターフェースを用いて、ユーザ機器（ＵＥ）に無線アクセスネットワーク接続性を提供する。
【０００７】
ＡＰの機能コンポーネントのための標準の基準は存在しないが、３ＧＰＰ  ３Ｇシステム内における使用のための典型的なＡＰの一例は、３ＧＰＰ  ＴＳ２５．４６７に規定されるとおり、Ｎｏｄｅ−Ｂ機能性と無線ネットワークコントローラ（ＲＮＣ）機能性のいくつかの態様とを含み得る。
【０００８】
現在の産業モデルは、ＧＳＭＡ  ｏｎｅ  ＡＰＩを３つの場所のうち１つに、すなわち、（ハンドセットアプリケーションのために）ユーザ機器に、あるいは（ローカルアプリケーションのために）スモールセルに、あるいは（外部サードパーティアクセスのために）アプリケーションゲートウェイに実装するものである。ＧＳＭＡ  ｏｎｅ  ＡＰＩは、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）アソシエーションにより開発されているアプリケーションプログラミングインターフェースである。これは、ウェブサービスインターフェースであることが意図される。ｏｎｅ  ＡＰＩを用いて開発されるアプリケーションは、これをサポートする複数のネットワークオペレータにわたって情報を取得することができる。これは、サーバ及びモバイルデバイス上の動作に対して意図され、実装される第１のＡＰＩは、メッセージング及びロケーション機能向けであることになる。具体的に、バージョン１は、「ロケーションプレゼンス」能力と、ＧＳＭＡ  ｏｎｅ  ＡＰＩを用いてアプリケーションゲートウェイを通してショートメッセージサービス（ＳＭＳ）及びマルチメディアメッセージングサービス（ＭＭＳ）を送信し及び受信する能力とを必要とする。
【０００９】
「プレゼンス」サービスは、一般に、個人及び個人が通信に使用する機器が、個人及びその機器のステートに対する情報を共有することを許可する。こうした情報には、例えば、個人及びその通信機器が他と現在通信することができるか、あるいは音声通話に従事しているかを含むことができる。「プレゼンス」は、ユーザの通信機器の場所に関する情報をさらに含むことができる。こうした例において「プレゼンスサーバ」が備えられることがあり、特定のＵＥが特定の場所に入ったことの検出に対して、「プレゼンス」サービスに加入するアプリケーションが何らかの形式のアクションを行うことを可能にすることができる。例えば、特定の時間に特定の場所に、例えばショッピングモールにいることが知られている買い物客とやりとりしたい可能性がある小売商及び広告主にとって、場所情報が非常に有用である場合がある。
【００１０】
いくつかの現在のロケーションプレゼンスサービスは、アクセスポイントによってＵＥに送信される局所的なアイデンティティ要求を使用して、そのＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｆｉｅｒ）を取得することに基づく。このことは、元々、アクセス制御の一形態をサポートするために提案されていた。アクセスポイントが通常の電気通信サービスをオファーするように準備される場合、ＵＥはスモールセル上に登録することを許容される。別法として、ＩＭＳＩが、コアネットワークにより送信されるいわゆる“Ｃｏｍｍｏｎ＿ＩＤ”から捕捉されてもよい。各々の場合において、アクセスポイントは、キャンプオンさせるときにＲｅｇｉｓｔｒａｔｉｏｎ試行を促すために、周囲のカバレッジ（すなわち、他のスモールセル、又は重なっているマクロセル）とは異なるＬＡＣ／ＲＡＣを有さなければならない。登録試行は、ロケーションプレゼンストリガを促すために使用され得る。（出願人の同時係属の出願ＧＢ１２０９２２４．３を参照。）ＵＥのＩＭＳＩの収集が、３Ｇ及び２Ｇネットワークにおいて可能であり、しかしＬＴＥネットワークにおいて可能でない。ＬＴＥネットワークにおいて、２Ｇ及び３Ｇネットワークと対照すると、ＩＭＳＩを運ぶシグナリングはＵＥとコアとの間で暗号化されるので、ＲＡＮにおいて調べられることができず、プレゼンスサービスの基礎として使用されることもできない。
【発明の概要】
【００１１】
本発明の一態様に従い、無線アクセステクノロジー（ＲＡＴ）を用いて第１のセルに通信を提供する第１のアクセスポイントを含む通信装置が提供され、上記第１のセルは、該第１のセルの無線アクセステクノロジーと同じ無線アクセステクノロジーを使用する第２のセルのカバレッジエリアの少なくとも一部と、上記第１のセル及び第２のセルの無線アクセステクノロジーとは異なる無線アクセステクノロジーを使用する第３のセルのカバレッジエリアの少なくとも一部と、に重なるカバレッジエリアを有し、上記第１のセルは、上記第２のセルに割り当てられるトラッキングエリアコードとは異なるトラッキングエリアコード（ＴＡＣ）を有し、上記第１のアクセスポイントは、上記第３のセルに関する情報を記憶するメモリを含み、上記第１のアクセスポイントは、上記第１のセルのカバレッジエリア内にあり上記第２のセルにキャンプオンするワイヤレス通信ユニットから接続の要求を受信し、接続の上記要求を受信することに応答して、上記第３のセルに関する上記の記憶された情報を含むＲａｄｉｏ  Ｒｅｓｏｕｒｃｅ  Ｃｏｎｔｒｏｌリダイレクション情報要素を含むＲａｄｉｏ  Ｒｅｓｏｕｒｃｅ  Ｃｏｎｔｒｏｌ  Ｃｏｎｎｅｃｔｉｏｎ  Ｒｅｌｅａｓｅメッセージを上記ワイヤレス通信ユニットに送信することによって、上記ワイヤレス通信ユニットを上記第３のセルにリダイレクトするように配置される。
【００１２】
一実施形態において、通信装置は、第３のセルに通信サービスを提供する第２のアクセスポイントを含み、第２のアクセスポイントは、第１のアクセスポイントによって第２のアクセスポイントにリダイレクトされているワイヤレス通信ユニットから接続の要求を受信するように配置され、さらに、ワイヤレス通信ユニットからの該ワイヤレス通信ユニットに関する一意識別子を要求し、ワイヤレス通信ユニットから一意識別子を受信し、一意識別子を含むプレゼンス通知メッセージを生成し、プレゼンス通知メッセージをリモートのエンティティに送るように配置される。
【００１３】
第２のアクセスポイントは、コアネットワークからのいかなる支援もなしにワイヤレス通信ユニットにその一意識別子を提供するように要求するメッセージを生成することができる。
【００１４】
第２のアクセスポイントは、いったん一意識別子が受信されると、リダイレクトされたワイヤレス通信ユニットにサービスを提供し、あるいはその接続の要求を拒否し、又は該ワイヤレス通信ユニットを近隣のセルにリダイレクトするように配置されることができる。
【００１５】
第１のアクセスポイント及び第２のアクセスポイントは、同じ場所に位置してもよく、あるいは異なる地理的場所に存在してもよい。
【００１６】
第１のアクセスポイントは、メモリにおける記憶のために第３のセルによるブロードキャストから第３のセル上の情報を集めるネットワークリッスンデバイスを備えてもよい。
【００１７】
一意識別子は、ワイヤレス通信ユニットのＩＭＳＩであり得る。
【００１８】
第１のセル及び第２のセルにより使用されるＲＡＴはＬＴＥであることが可能であり、第３のセルにより使用されるＲＡＴは２Ｇ又は３Ｇであることが可能である。
【００１９】
本発明の別の態様に従い、セルラー通信システムを動作させる方法が提供され、当該方法は、無線アクセステクノロジー（ＲＡＴ）を用いて第１のセルに通信を提供する第１のアクセスポイントであり、上記第１のセルは、該第１のセルの無線アクセステクノロジーと同じ無線アクセステクノロジーを使用する第２のセルのカバレッジエリアの少なくとも一部と、上記第１のセル及び第２のセルの無線アクセステクノロジーとは異なる無線アクセステクノロジーを使用する第３のセルのカバレッジエリアの少なくとも一部と、に重なるカバレッジエリアを有する、第１のアクセスポイントにおいて、上記第２のセルに割り当てられるトラッキングエリアコードとは異なるトラッキングエリアコードを上記第１のアクセスポイントに割り当てるステップと、上記第３のセルに関する情報を記憶するステップと、上記第１のセルのカバレッジエリア内にあり上記第２のセルにキャンプオンするワイヤレス通信ユニットから接続の要求を受信するステップと、接続の上記要求を受信することに応答して、上記第３のセルに関する上記の記憶された情報を含むＲａｄｉｏ  Ｒｅｓｏｕｒｃｅ  Ｃｏｎｔｒｏｌリダイレクション情報要素を含むＲａｄｉｏ  Ｒｅｓｏｕｒｃｅ  Ｃｏｎｔｒｏｌ  Ｃｏｎｎｅｃｔｉｏｎ  Ｒｅｌｅａｓｅメッセージを上記ワイヤレス通信ユニットに送信することによって、上記ワイヤレス通信ユニットを上記第３のセルにリダイレクトするステップと、を含む。
【００２０】
本発明の具体的な実施形態が、従属請求項に明記される。
【００２１】
本発明の上記及び他の態様が、以降に説明される実施形態から明らかであり、該実施形態を参照して説明される。
【００２２】
アクセスポイントの機能要素は、１つ以上の集積回路デバイスに実装され得る。
【００２３】
本発明は、２Ｇ又は３Ｇセル内で利用可能であり、しかしＬＴＥセル内で利用可能でない手順を実行する目的で、ワイヤレス通信ユニットをＬＴＥセルから近隣３Ｇ又は２Ｇセルにリダイレクトする方法及び装置を提供する。本発明は、ＬＴＥマクロセルのカバレッジエリア内にさらなるＬＴＥアクセスポイントを供給することを含む。さらなるＬＴＥアクセスポイントは、アイドルモードにありＬＴＥマクロセルに登録されているワイヤレス通信ユニットを捕捉し、これを、より良いサービスが２Ｇ／３Ｇセル内で提供され得るか否かにかかわらず、３Ｇ／２Ｇセルにリダイレクトするように配置されることができる。本発明は、プレゼンス検出に対する適用を有し、こうした目的のためのワイヤレス通信ユニット及び／又は加入者のＩＤの収集が、３Ｇ及び２Ｇセル内で可能であり、しかしＬＴＥセル内では可能でない。通常のマクロポリシーを無効にして別のＲＡＴ上の局所的なカバレッジエリアに向けてＵＥを導く（steer）ことが望まれるところの他の例があり得る。上記の例は、通常のマクロＬＴＥポリシーを無効にしてアイドルのＵＥをＬＴＥサービスレイヤから別のＲＡＴに導くことが可能である局所的なソリューションを必要とする。
【００２４】
本発明は、ＬＴＥセルのリダイレクション手順を使用して、捕捉されたＵＥを別のＲＡＴ（例えば、３Ｇ又は２Ｇ）に即時リダイレクトし、ゆえに通常のレイヤのふるまいを無効にすることができる。後に、ＵＥが向けられている２Ｇ又は３Ｇアクセスポイントは、その特定の場所におけるプレゼンスオペレーションをコアネットワークサポートなしに実行することができる。このことは、ＵＥがＬＴＥセルにアタッチされたままである場合、不可能であろう。
【００２５】
本発明は、マルチモードセル（例えば、ＬＴＥ＋３Ｇ）内で使用されてもよく、あるいは、別個のコンポーネント（例えば、１つ以上の３Ｇ及び／又は２Ｇセルに対するリダイレクションゲートウェイ（Redirection  Gateway）として使用される単一のＬＴＥセル）として実現されてもよい。
【００２６】
本発明は、ＬＴＥセルから既存のマクロレイヤポリシーと共に動作することができる別のＲＡＴ上のセルにＵＥを導く局所的な方法を提供することができる。
【００２７】
一実施形態において、リダイレクションのみの手順を目的として、ＬＴＥセルはＥＰＣに接続される必要がなく、ゆえに、コアネットワーク上のシグナリング負荷を低減させる。
【図面の簡単な説明】
【００２８】
本発明のさらなる詳細、態様、及び実施形態が、単に例として、図面を参照して説明される。図における要素は、簡潔及び明りょうにするように例示されており、必ずしも縮尺どおりに描かれていない。同様の参照番号が、理解を容易にするようにそれぞれの図面に含まれている。
【図１】本発明の一実施形態に従って動作するセルラー通信システムの簡素化されたブロック図である。
【図２】本発明の一実施形態に従う、異なる無線アクセステクノロジーを使用するセル間でワイヤレス通信ユニットをリダイレクトし、プレゼンスサービスを実行する方法の一例の簡素化されたフローチャート図である。
【発明を実施するための形態】
【００２９】
本発明概念は、複数の重なった通信カバレッジエリアをサポートするセルラー通信システム、例えば、複数のスモールセルと複数のマクロセルとの組み合わせを含む通信システムに特定の適用性を見出す。さらに、本発明概念は、２つ以上の無線アクセステクノロジーを含むセルラー通信システムに適用性を見出す。
【００３０】
説明される例の詳細はいくつかの実施形態についての単に例示であり、本明細書に明記される教示は様々な別の設定に適用可能であることを当業者は認識し、十分理解するであろう。
【００３１】
次に図１を参照すると、マクロ進化型ノードＢ（ＥＮｏｄｅＢ、又はｅＮｏｄｅＢ、又はＥＮＢ）１０１が、それぞれのカバレッジエリアにわたってセルラー通信サービスを提供し、ＬＴＥ無線アクセステクノロジーを用いて動作する。マクロｅＮｏｄｅＢは、従来の設計のものである。例えば、ｅＮｏｄｅＢは、近隣のセルに関する情報、例えば、動作周波数及び／又はアイデンティティなどを典型的に含み得る。ｅＮｏｄｅＢは、特定のトラッキングエリア（ＴＡ）を表すようにｅＮｏｄｅＢへ構成される番号であるＴｒａｃｋｉｎｇ  Ａｒｅａ  Ｃｏｄｅ（ＴＡＣ）をさらに供給される。ｅＮｏｄｅＢは、従来の仕方において進化型パケットコア（Evolved  Packet  Core）（ＥＰＣ）１０２に接続され、ＥＰＣ１０２と通信する。進化型パケットコア１０２もまた従来的であり、例えば、サービングゲートウェイ、パケットゲートウェイ、及びモビリティマネジメントエンティティ（図示されていない）を含み得る。
【００３２】
３Ｇアクセスポイント（３Ｇ  ＡＰ）１０３は、この例においてＨｏｍｅ  Ｎｏｄｅ  Ｂ（ＨＮＢ）であり、それぞれのカバレッジエリアにわたってセルラー通信サービスを提供し、３Ｇ無線アクセステクノロジーを用いて動作する。別の例において、Ｈｏｍｅ  Ｎｏｄｅ  Ｂに代わって、３Ｇアクセスポイントは、ＨＮＢと比較して典型的により大きいカバレッジエリアを有するノードＢであり得る。３Ｇアクセスポイント１０３は、いくつかの実施形態において、従来の仕方において、Ｈｏｍｅ  Ｎｏｄｅ  Ｂ  Ｇａｔｅｗａｙ（ＨＮＢ−ＧＷ）１０５を介して、３Ｇコアネットワーク１０４と通信することができる。上記の例において、３Ｇコアネットワーク１０４は、進化型パケットコア１０２と通信する。
【００３３】
２Ｇアクセスポイント１０６は、それぞれのカバレッジエリアにわたってセルラー通信サービスを提供し、２Ｇ無線アクセステクノロジーを用いて動作する。２Ｇアクセスポイント１０６は、いくつかの実施形態において、従来の仕方において、基地局コントローラ（ＢＳＣ）１０８を介して、２Ｇコアネットワーク１０７と通信することができる。２Ｇアクセスポイント１０６は、基地局トランシーバを含み得る。上記の例において、２Ｇコアネットワーク１０７は、進化型パケットコア１０２と通信する。
【００３４】
別の実施形態において、２Ｇアクセスポイント１０６と３Ｇアクセスポイント１０３とのうちいずれか一方又は双方が、孤立したセルであって、コアネットワークに実際に接続されず、しかし（例えば、プレゼンスサービスを達成する目的のために）ユーザ機器のアイデンティティ（例えば、ＩＭＳＩ）を決定し、それからこのＵＥをコアネットワークに接続された別のセルに戻すようにリダイレクトするように単に構成されてもよい。
【００３５】
「リダイレクション」ＬＴＥアクセスポイント（ＬＴＥ  ＡＰ）１０９は、マクロｅＮｏｄｅＢ１０１のカバレッジエリアと３Ｇアクセスポイントのカバレッジエリア１０３と２Ｇアクセスポイント１０６のカバレッジエリアとのうち少なくとも一部に重なるそれぞれのカバレッジエリアにわたってセルラー通信サービスを提供する。一例において、ＬＴＥアクセスポイント１０９は、小さいカバレッジエリアを扱う（serving）進化型Ｈｏｍｅ  Ｎｏｄｅ  Ｂであり、プレゼンスサービスが所望される場所、例えば、ショッピングモールなどに展開され得る。ゆえに、上記の例において、ＬＴＥアクセスポイントのセルは、マクロｅＮｏｄｅＢ１０１と３Ｇ  ＨＮＢ１０３と２Ｇアクセスポイント１０６とにより扱われるマクロセルの下層に存在する。別の実施形態において、ＬＴＥアクセスポイント１０９は、より大きいカバレッジエリアを有するＮｏｄｅＢであり得る。ＬＴＥアクセスポイント１０９は、マクロｅＮｏｄｅＢのＴＡＣとは異なるＴＡＣを供給される。ＬＴＥアクセスポイント１０９は、近隣のセルに関する情報を記憶するメモリ１１０を含む。具体的に、上記の情報は、３Ｇ  ＨＮＢ１０３及び２Ｇアクセスポイント１０６に関し、例えば、その動作周波数及び識別子を含み得る。メモリ１１０は、従来のアクセス管理システム（図示されていない）の制御下で上記情報を供給され得る。別の実施形態において、ＬＴＥアクセスポイント１０９はネットワークリッスンデバイス（network  listen  device）１１１を備え、ネットワークリッスンデバイス１１１は、近隣のセルからのブロードキャストをリッスンし、ブロードキャスト情報から近隣のセルに関する情報を収集し、それをメモリ１１０に記憶する。具体的に、ネットワークリッスンデバイス１１１は、３Ｇアクセスポイント１０３及び２Ｇアクセスポイント１０６それぞれからのブロードキャストを監視する。
【００３６】
一実施形態において、ＬＴＥアクセスポイント１０９は、従来のやり方においてリンク１１２を通じてＥＰＣ１０２に接続され、ＥＰＣ１０２と通信する。上記の場合に、ＬＴＥアクセスポイント１０９は、別のＵＥに対する即時のリダイレクション動作を実行することに追加して、そのカバレッジエリアに入り得るユーザ機器に対して通常の通信サービスを提供することができる。別の実施形態において、ＬＴＥアクセスポイント１０９は、ＥＰＣ１０２を介して何らかの通信サービスを提供するようには使用されず、ゆえに、接続は提供されず、この構成において、ＬＴＥアクセスポイント１０９は、リダイレクション動作のみ実行する。ＬＴＥアクセスポイント１０９は、ユーザ機器１１３からメッセージを受信し、リダイレクションメッセージを生成して、選択されたユーザ機器に送信するためのリダイレクションメッセージを生成するように配置される。
【００３７】
リモートのプレゼンスサーバ１１４は、３Ｇアクセスポイント１０３に、及び２Ｇアクセスポイント１０６に接続される。
【００３８】
次に、本発明の動作の例が説明される。ＬＴＥアクセスポイント１０９が、ポリシー無効化（policy  override）を有することが所望されるエリアに展開され、したがって、ＬＴＥマクロセルに「キャンプオン（camped  on）」するＵＥ１１３が、特定のポリシーを有するＬＴＥアクセスポイントへと再選択されることができ、次いで、３Ｇセル又は２Ｇセルにより提供されるサービスがＬＴＥセルにより提供されるサービスより優れているか否かにかかわらず、３Ｇセル１０３又は２Ｇセル１０６にリダイレクトされることになる。ＬＴＥアクセスポイントは、ユーザ機器のプレゼンス検出が必要とされるエリアにさらに展開される。ＬＴＥアクセスポイントは、ＬＴＥマクロセルに対して異なるＴＡＣを有する。このことは、再選択においてＵＥによるＴＡＵ（Ｔｒａｃｋｉｎｇ  Ａｒｅａ  Ｕｐｄａｔｅ）手順を促すことになる。上記の例において、ＬＴＥアクセスポイント１０９は、ＥＰＣ１０２と通信せず、専らリダイレクション目的で使用される。
【００３９】
次に図２を参照すると、２００において、ＬＴＥマクロセルのＴＡＣとは異なるＴＡＣが、ＬＴＥアクセスポイント１０９によりサポートされるセルに割り当てられる。ＵＥ１１３が、ｅＮｏｄｅＢ１０１により扱われるマクロセルに「キャンプオン」する。すなわち、ＵＥ１１３はアイドルモードにあり、ＬＴＥマクロセルに登録している。ＵＥ１１３は、（リダイレクション）ＬＴＥアクセスポイント１０９のカバレッジエリアへ移動する。従来と同様に、ＵＥは、近隣のセルの測定を行い、従来のポリシーに従って、ＬＴＥアクセスポイント１０９を「再選択」のための適切な候補として識別する。なぜならば、例えば、ＬＴＥアクセスポイントのブロードキャスト信号強度（又は、品質）が、マクロｅＮｏｄｅＢ１０１のものより良好であるためである。ＵＥは、従来手順に従って、ＬＴＥアクセスポイント１０９がマクロｅＮｏｄｅＢに対して異なるＴＡＣを有することをさらに検出する。ゆえに、マクロポリシーに従って、ＵＥはＬＴＥアクセスポイント１０９を再選択し、ＴＡＵ（Ｔｒａｃｋｉｎｇ  Ａｒｅａ  Ｕｐｄａｔｅ）を実行する意図でＲＲＣ（Ｒａｄｉｏ  Ｒｅｓｏｕｒｃｅ  Ｃｏｎｔｒｏｌ）  Ｃｏｎｎｅｃｔｉｏｎ  Ｒｅｑｕｅｓｔを開始する。
【００４０】
こうして、２０１において、ＬＴＥ  ＡＰ１０９は、ＲＲＣ  Ｃｏｎｎｅｃｔｉｏｎ  Ｒｅｑｕｅｓｔを受信する。
【００４１】
ＬＴＥ  ＡＰ１０９は、ＲＲＣ  Ｃｏｎｎｅｃｔｉｏｎ  Ｒｅｑｕｅｓｔを受け入れ、２０２において、ＲＲＣ  Ｃｏｎｎｅｃｔｉｏｎ  ＳｅｔｕｐメッセージをＵＥに送信することによって応答する。
【００４２】
応答において、ＵＥは、ＲＲＣ  Ｃｏｎｎｅｃｔｉｏｎ  Ｓｅｔｕｐ  Ｃｏｍｐｌｅｔｅメッセージを送信し、該メッセージは、２０３においてＬＴＥ  ＡＰにより受信される。
【００４３】
ＬＴＥアクセスポイント１０９は、コアネットワークに向けたいかなるＮＡＳ（非アクセス層）メッセージも渡さないが、しかし代わって、２０４においてＲＲＣ  Ｃｏｎｎｅｃｔｉｏｎを解放することによって（ＲＲＣ  Ｃｏｎｎｅｃｔｉｏｎ  Ｒｅｌｅａｓｅ）、３Ｇセル１０３に対するリダイレクションを即時開始する。
【００４４】
別法として、ＬＴＥアクセスポイント１０９は、ＵＥを２Ｇセル１０６にリダイレクトすることを選んでもよい。
【００４５】
ＬＴＥアクセスポイント１０９によってＵＥに送信されるＲＲＣ  Ｃｏｎｎｅｃｔｉｏｎ  Ｒｅｌｅａｓｅメッセージは、ＲＲＣリダイレクションＩＥ（情報要素（Information  Element））を含む。こうして、ＵＥは、３Ｇ（又は、２Ｇ）近隣セルに関する情報を受信する。この情報は、アクセスポイントのメモリ１１０から読み出されている。ＲＲＣリダイレクションＩＥは、ｒｅｄｉｒｅｃｔｅｄＣａｒｒｉｅｒＩｎｆｏ（及び、ｉｄｌｅＭｏｄｅＭｏｂｉｌｉｔｙＣｏｎｔｒｏｌＩｎｆｏ）と、場合によりｃｅｌｌＩｎｆｏＬｉｓｔ−ｒ９とを含む。「ｒｅｄｉｒｅｃｔｅｄＣａｒｒｉｅｒＩｎｆｏ」は、ターゲット２Ｇ／３Ｇセルのキャリアを指定することができる。「ｉｄｌｅＭｏｄｅＭｏｂｉｌｉｔｙＣｏｎｔｒｏｌＩｎｆｏ」は、欲されるターゲットセルキャリアが最も高い優先順位であることを補強するために使用されることができる。「ｃｅｌｌＩｎｆｏＬｉｓｔ−ｒ９」は、即時使用のためにＳｙｓＩｎｆｏを提供することによって、３Ｇセルに対して再選択するときに時間を節約することができる。
【００４６】
それから、ＵＥは（３Ｇ  ＡＰ１０３により扱われる）３Ｇセルを再選択し、ＵＥはＲＲＣ  Ｃｏｎｎｅｃｔｉｏｎ  Ｒｅｑｕｅｓｔを送信し、これは、２０５において３Ｇアクセスポイント１０３によって受信される。
【００４７】
応答において、２０６において、３Ｇアクセスポイント１０３は、ＲＲＣ  Ｃｏｎｎｅｃｔｉｏｎ  ＳｅｔｕｐメッセージをＵＥ１１３に送信する。
【００４８】
応答において、ＵＥはＲＲＣ  Ｃｏｎｎｅｃｔｉｏｎ  Ｓｅｔｕｐ  Ｃｏｍｐｌｅｔｅメッセージを送信し、該メッセージは、２０７において３Ｇアクセスポイント１０３によって受信される。
【００４９】
この後に、ＲＲＣ  Ｉｎｉｔｉａｌ  Ｄｉｒｅｃｔ  Ｔｒａｎｓｆｅｒ（Ｌｏｃａｔｉｏｎ  Ｕｐｄａｔｉｎｇ  Ｒｅｑｕｅｓｔ）が続き、これは、２０８において３Ｇアクセスポイント１０３によって受信される。
【００５０】
今やＵＥは３Ｇセルとの通信を開始しているので、３Ｇ無線アクセスネットワークは確立された手法を使用して、プレゼンスサービス目的でＵＥ１１３のアイデンティティを回復する（recover）ことができる。ゆえに、２０９において、３Ｇ  ＡＰ１０３は、ＲＲＣＤｏｗｎｌｉｎｋ  Ｄｉｒｅｃｔ  Ｔｒａｎｓｆｅｒを送信することによって、ＵＥの一意のアイデンティティを要求する（Ｍｏｂｉｌｉｔｙ  Ｍａｎａｇｅｍｅｎｔ  Ｉｄｅｎｔｉｔｙ  Ｒｅｑｕｅｓｔ）。
【００５１】
ＵＥは、ＩＭＳＩを含むＲＲＣ  Ｕｐｌｉｎｋ  Ｄｉｒｅｃｔ  Ｔｒａｎｓｆｅｒ（Ｍｏｂｉｌｉｔｙ  Ｍａｎａｇｅｍｅｎｔ  Ｉｄｅｎｔｉｔｙ  Ｒｅｓｐｏｎｓｅ）メッセージで応答する。これは、２１０において３Ｇ  ＡＰによって受信される。
【００５２】
２１１において、３Ｇ  ＡＰ１０３は、プレゼンス通知メッセージを生成し、これをプレゼンスサーバ１１４に送る（forwards）。通知メッセージは、３Ｇ  ＡＰ１０３により捕捉されているＩＭＳＩと、さらにＬＴＥ  ＡＰ１０９に関する情報とを含み、したがって、プレゼンスサーバ１１４は、受信したＩＭＳＩを地理的場所にリンクすることができる。ＬＴＥ  ＡＰ１０９及び３Ｇ  ＡＰ１０３が同じ場所に位置する場合、３Ｇ  ＡＰ１０３に関する情報が代わって送信され得る。３Ｇ  ＡＰ１０３又はプレゼンスサーバ１１４は、プレゼンス通知メッセージにタイムスタンプを押す（time-stamp）ことができる。
【００５３】
２１２において、上記の例において、３Ｇ  ＡＰ１０３は、ＨＮＢ  Ｇａｔｅｗａｙ１０５を通した３Ｇコアネットワーク１０４に対するリンク経由で通常の通信サービスをＵＥ１１３に供給することによって、従来のとおり動作し続ける。
【００５４】
別の実施形態において、３Ｇ  ＡＰ１０３ではなくＨＮＢ  Ｇａｔｅｗａｙ１０５（又は、他のエンティティ）が、プレゼンス通知を生成し、送信する。例えば、３Ｇ  ＡＰ１０３が、標準のメッセージング、例えば、ＨＮＢＡＰ（Ｈｏｍｅ  Ｎｏｄｅ  Ｂ  Ａｐｐｌｉｃａｔｉｏｎ  Ｐａｒｔ）  ＵＥ  Ｒｅｇｉｓｔｅｒ  Ｒｅｑｕｅｓｔなどを用いて、受信したＩＭＳＩをＨＮＢ  Ｇａｔｅｗａｙ１０５に送信する。ＬＴＥ  ＡＰ１０９（又は、ＬＴＥ  ＡＰ１０９と３Ｇ  ＡＰ１０３との２つが同じ場所に位置する場合には、３Ｇ  ＡＰ１０３）の場所に関する識別子が３Ｇ  ＡＰ１０３によってＨＮＢ  Ｇａｔｅｗａｙ１０５に送信されてもよく、あるいは、ＨＮＢ  Ｇａｔｅｗａｙ１０５がこうした情報を予め供給されてもよい。それから、ＨＮＢ  Ｇａｔｅｗａｙ１０５は、プレゼンス通知メッセージを生成し、プレゼンスサーバ１１４に送信する。
【００５５】
別の環境において、３Ｇアクセスポイント１０３は、ＩＭＳＩを受信した後、ＵＥ１１３を拒否してもよい。このことは、ＵＥ１１３に対するＤｏｗｎｌｉｎｋ  Ｔｒａｎｓｆｅｒを生成することによって（原因付きのＬｏｃａｔｉｏｎ  Ｕｐｄａｔｉｎｇ  Ｒｅｊｅｃｔ）、３Ｇ  ＡＰ１０３において行われ得る。別の実施形態において、３Ｇ  ＡＰ１０３は、ＩＭＳＩを受信した後、ＬＴＥマクロセルに関する関連情報を有するＲＲＣ  Ｃｏｎｎｅｃｔｉｏｎ  Ｒｅｌｅａｓｅメッセージを生成することによって、ＵＥを近隣のセル、例えばＬＴＥマクロセルなどにリダイレクトしてもよい。
【００５６】
本発明の実施形態の信号処理機能性、具体的に、アクセスポイントにより実行される上記機能は、関連分野における当業者に知られているコンピューティングシステム又はアーキテクチャを用いて達成され得る。コンピューティングシステム、例えば、デスクトップ、ラップトップ若しくはノートブックコンピュータ、ハンドヘルドコンピューティングデバイス（ＰＤＡ、セルフォン、パームトップ等）、メインフレーム、サーバ、クライアント、又は、任意の他タイプの特別目的若しくは汎用目的コンピューティングデバイスなどが、所与の適用又は環境に対して所望され又は適切であり得るとき、使用されることができる。コンピューティングシステムは、１つ以上のプロセッサを含むことができ、該１つ以上のプロセッサは、汎用目的又は特別目的処理エンジン、例えば、マイクロプロセッサ、マイクロコントローラ、又は他の制御モジュールなどを用いて実装されることが可能である。
【００５７】
コンピューティングシステムは、さらに、プロセッサにより実行される命令及び情報を記憶するメインメモリ、例えば、ランダムアクセスメモリ（ＲＡＭ）又は他のダイナミックメモリなどを含むことができる。こうしたメインメモリは、プロセッサにより実行される命令の実行の間に一時変数又は他の中間情報を記憶することにさらに使用されてもよい。コンピューティングシステムは、同様にして、プロセッサのためのスタティックな命令及び情報を記憶する読取専用メモリ（ＲＯＭ）又は他の静的記憶装置を含んでもよい。
【００５８】
コンピューティングシステムは、情報記憶システムをさらに含んでもよく、該情報記憶システムは、例えば、メディアドライブ及び取外し可能ストレージインターフェースを含み得る。メディアドライブは、ドライブ又は他の機構を含んで、固定された又は取外し可能な記憶媒体、例えば、ハードディスクドライブ、フロッピーディスクドライブ、磁気テープドライブ、光学ディスクドライブ、コンパクトディスク（ＣＤ）若しくはデジタルビデオドライブ（ＤＶＤ）読取り若しくは書込みドライブ（Ｒ又はＲＷ）、又は他の取外し可能な若しくは固定されたメディアドライブなどをサポートすることができる。記憶媒体には、例えば、ハードディスク、フロッピーディスク、磁気テープ、光ディスク、ＣＤ若しくはＤＶＤ、又は、メディアドライブによって読み取られ及び書き込まれる他の固定された若しくは取外し可能な媒体が含まれ得る。記憶媒体には、特定のコンピュータソフトウェアを有するコンピュータ可読記憶媒体、又はその中に記憶されたデータとが含まれ得る。
【００５９】
別の実施形態において、情報記憶システムには、コンピュータプログラム又は他の命令若しくはデータがコンピューティングシステムにロードされることを可能にする他の同様のコンポーネントが含まれ得る。こうしたコンポーネントには、例えば、取外し可能記憶ユニット及びインターフェース、例えば、プログラムカートリッジ及びカートリッジインターフェース、取外し可能メモリ（例えば、フラッシュメモリ、又は他の取外し可能メモリモジュール）及びメモリスロット、並びに、ソフトウェア及びデータが取外し可能記憶ユニットからコンピューティングシステムに転送されることを可能にする他の取外し可能記憶ユニット及びインターフェースなどが含まれ得る。
【００６０】
コンピューティングシステムは、通信インターフェースをさらに含むことができる。こうした通信インターフェースを使用して、ソフトウェア及びデータがコンピューティングシステムと外部デバイスとの間で転送されることを可能にすることができる。通信インターフェースの例には、モデム、ネットワークインターフェース（イーサネット又は他のＮＩＣカードなど）、通信ポート（例えば、ユニバーサルシリアルバス（ＵＳＢ）ポートなど）、ＰＣＭＣＩＡスロット及びカード等を含むことができる。通信インターフェースを介して転送されるソフトウェア及びデータは信号の形式であり、該信号は、通信インターフェース媒体によって受信されることが可能な電子的、電磁気的、及び光学的又は他の信号であり得る。
【００６１】
本文献において、用語「コンピュータプログラム製品」、「コンピュータ可読媒体」、「非一時的コンピュータ可読媒体」及び同様のものは一般に、有形媒体、例えば、メモリ、記憶デバイス、又は記憶ユニットなどを参照するように使用され得る。上記及び他の形態のコンピュータ可読媒体が、コンピュータシステムを含むプロセッサによる使用のための１つ以上の命令を記憶して、指定された動作をプロセッサに実行させることができる。こうした命令は、一般に「コンピュータプログラムコード」として参照され（コンピュータプログラム又は他のグルーピングの形式においてグループ化され得る）、実行されるときに、コンピューティングシステムが本発明の実施形態の機能を実行することを可能にする。コードは、指定された動作をプロセッサに直接実行させてもよく、そうするようにコンパイルされてもよく、かつ／あるいは、そうするように他のソフトウェア、ハードウェア、及び／又はファームウェア要素（例えば、標準機能を実行するライブラリ）と組み合わせられてもよいことに留意する。
【００６２】
要素がソフトウェアを用いて実装される一実施形態において、ソフトウェアは、コンピュータ可読媒体に記憶され、例えば取外し可能記憶ドライブを用いて、コンピューティングシステムにロードされることが可能である。制御モジュール（上記の例において、ソフトウェア命令、又は実行可能コンピュータプログラムコード）が、コンピュータシステム内のプロセッサにより実行されるときに、本明細書に説明されるとおりの発明の機能をプロセッサに実行させる。
【００６３】
さらに、本発明概念は、ネットワーク要素内の信号処理機能性を実行する任意の回路に適用されることが可能である。さらに、例えば、半導体製造業者が、スタンドアロンデバイス、例えば、デジタルシグナルプロセッサ（ＤＳＰ）のマイクロコントローラ、又は特定用途向け集積回路（ＡＳＩＣ）、及び／又は任意の他のサブシステム要素などの設計において、本発明概念を採用し得ることが予見される。
【００６４】
明りょうさの目的で、上記の説明は単一の処理ロジックを参照して本発明の実施形態を説明していることが十分理解されるであろう。しかしながら、本発明概念は、複数の異なる機能ユニット及びプロセッサによって上記信号処理機能性を提供するように同等に実装され得る。ゆえに、具体的な機能ユニットに対する参照は、厳密な論理的又は物理的な構造又は編成を示すのではなく、説明される機能性を提供する適切な手段に対する参照とみなされるに過ぎない。
【００６５】
本発明の態様は、ハードウェア、ソフトウェア、ファームウェア、又はこれらの任意の組み合わせを含む、任意の適切な形態において実装され得る。本発明は、場合により、少なくとも部分的に、１つ以上のデータプロセッサ上で実行されるコンピュータソフトウェア、及び／又はデジタル信号プロセッサ、又は構成可能モジューコンポーネント、例えばＦＰＧＡデバイスなどとして、実装され得る。ゆえに、本発明の実施形態の要素及びコンポーネントは、物理的、機能的、及び論理的に、任意の適切な方法において実装され得る。実際、上記機能性は、単一のユニットにおいて、複数のユニットにおいて、又は他の機能ユニットの一部として実装され得る。
【００６６】
本発明はいくつかの実施形態に関連して説明されたが、本明細書に明記された具体的な形態に限定されることは意図されない。むしろ、本発明の範囲は、別記の請求項によってのみ限定される。さらに、特徴が、特定の実施形態と関連して説明されるように出現し得るが、説明された実施形態の様々な特徴が本発明に従って組み合わせられ得ることを当業者は認識するであろう。請求項において、用語「含む」は他の要素又はステップの存在を除外しない。
【００６７】
さらに、個々にリストアップされた複数の手段、要素、又は方法ステップが、例えば、単一のユニット又はプロセッサによって実装されてもよい。さらに、個々の特徴が異なる請求項に含まれることがあるが、これらは可能性として有利に組み合わせられている場合があり、異なる請求項に含めることは、特徴の組み合わせが実現可能及び／又は有利ではないをことを暗示するものではない。さらに、１つのカテゴリの請求項の中に特徴を含めることは、このカテゴリに対する限定を暗示するものではなく、しかしむしろ、この特徴が必要に応じて、他の請求項カテゴリに同等に適用可能であることを示す。
【００６８】
さらに、請求項の中の特徴の順序は、特徴が実行されなければならない何らかの具体的な順序を暗示するものではなく、具体的に、方法クレームの中の個々のステップの順序は、この順序においてステップが実行されるべきであると暗示するものではない。むしろ、ステップは、任意の適切な順序において実行され得る。さらに、単数形の参照は、複数を除外するものではない。ゆえに、「一の（a、an）」、「第１の」、「第２の」等に対する参照は、複数を排除するものではない。
【図１】
0006562935.tif 000002
【図２】
0006562935.tif 000003